(57)【特許請求の範囲】
【請求項１】
第１部材と第２部材が積層され、水中に配置された対象物をレーザで切断するレーザ切断装置であって、
前記第１部材に対面して配置され、前記第１部材側からレーザを照射するレーザ照射装置と、
前記第１部材に対面して配置され、前記第１部材側から前記レーザが照射される位置にガスを噴射させるガス供給装置と、
前記レーザ照射装置及び前記ガス供給装置を移動させる移動装置と、
内部が中空の管状の部材であり、内部を前記レーザが通過するヘッドと、
前記対象物の前記第１部材と前記第２部材との間の前記レーザで切断される位置の鉛直方向上側及び鉛直方向下側の少なくとも一方に配置された閉塞機構と、を有することを特徴とするレーザ切断装置。
【請求項２】
前記閉塞機構は、前記対象物の前記第１部材と前記第２部材との間の前記レーザで切断される位置よりも鉛直方向上側を閉塞する上側閉塞機構を有することを特徴とする請求項１に記載のレーザ切断装置。
【請求項３】
前記対象物は、前記第１部材が筒形状であり、
前記上側閉塞機構は、前記第１部材の内側の空間をさらに閉塞することを特徴とする請求項２に記載のレーザ切断装置。
【請求項４】
前記閉塞機構は、前記対象物の前記第１部材と前記第２部材との間の前記レーザで切断される位置よりも鉛直方向下側を閉塞する下側閉塞機構を有することを特徴とする請求項１から３のいずれか一項に記載のレーザ切断装置。
【請求項５】
前記対象物は、前記第１部材が筒形状であり、
前記下側閉塞機構は、前記第１部材の内側の空間をさらに閉塞することを特徴とする請求項４に記載のレーザ切断装置。
【請求項６】
前記第１部材と前記第２部材との間にガスを供給するアシストガス供給装置をさらに有することを特徴とする請求項１から５のいずれか一項に記載のレーザ切断装置。
【請求項７】
前記対象物は、前記第１部材が内周管であり、前記第２部材が前記第１部材の外周に配置された外周管であり、
前記レーザ照射装置及び前記ガス供給装置は、前記内周管の内側に配置され、
前記移動装置は、前記レーザ照射装置及び前記ガス供給装置を回転させることを特徴とする請求項１から５のいずれか一項に記載のレーザ切断装置。
【請求項８】
前記ヘッドと前記第１部材との間の前記レーザの経路の周囲を閉塞する周囲閉塞機構を有することを特徴とする請求項１から７のいずれか一項に記載のレーザ切断装置。
【請求項９】
前記ヘッドは、前記レーザ照射装置のレーザを照射する開口の移動方向において、前記レーザで前記第１部材に形成するカーフ幅以上の幅で前記ガスを噴射する形状であることを特徴とする請求項７または８に記載のレーザ切断装置。
【請求項１０】
前記ヘッドのレーザを照射する開口の移動方向において、前記レーザの照射位置よりも後側の、前記第１部材の切断位置に閉塞材を供給する閉塞材供給装置を有することを特徴とする請求項７から９のいずれか一項に記載のレーザ切断装置。
【請求項１１】
前記ヘッドのレーザを照射する開口の移動方向において、前記レーザの照射位置よりも後側の、前記ヘッドの外周に固定され、前記第１部材の切断位置に挿入される可撓性の遮蔽部材を有することを特徴とする請求項７から１０のいずれか一項に記載のレーザ切断装置。
【請求項１２】
前記ヘッドのレーザを照射する開口の移動方向において、前記レーザの照射位置よりも後側の前記第１部材の切断位置に向けて水をジェット噴射する水噴射装置を有することを特徴とする請求項７から１１のいずれか一項に記載のレーザ切断装置。
【請求項１３】
第１部材と第２部材が積層され、水中に配置された対象物をレーザで切断するレーザ切断方法であって、
前記第１部材に向けてガスを噴射した状態でレーザを照射して、前記第１部材に貫通部を形成し、
前記貫通部を通過したガスを前記第２部材に向けて噴射させた状態で前記貫通部を通過したレーザを前記第２部材に照射して、前記第２部材を切断し、
前記対象物の前記第１部材と前記第２部材との間の前記レーザで切断される位置の鉛直方向上側及び鉛直方向下側の少なくとも一方を閉塞し、前記対象物の前記第１部材と前記第２部材との間の空間に空気を充填することを含むことを特徴とするレーザ切断方法。
【請求項１４】
前記第１部材に向けてガスを噴射した状態でレーザを照射して、前記第１部材に貫通部を形成した後、
前記対象物の前記第１部材と前記第２部材との間の空間に空気を充填し、
前記第２部材の切断を実行することを特徴とする請求項１３に記載のレーザ切断方法。
【請求項１５】
前記レーザが通過する管状の部材であるヘッドと前記第１部材との間をさらに閉塞して、前記第１部材に向けてガスを噴射した状態でレーザを照射して、前記第１部材に貫通部を形成することを特徴とする請求項１３または１４に記載のレーザ切断方法。
【発明の詳細な説明】
【技術分野】
【０００１】
本発明は、水中に配置され、かつ、２つ以上の部材が間隔を設けて積層された構造物を切断するレーザ切断装置及びレーザ切断方法に関する。
【背景技術】
【０００２】
対象の物体を切断する切断方法としては、特許文献１に記載されているように対象の物体にレーザを照射して切断するレーザ切断方法がある。また、切断方法としては、対象の物体に加工工具を接触させて切断する方法や、対象の物体に高圧水を噴射して切断するウォータジェット切断方法もある。
【０００３】
対象の物体としては、気中に配置された部材だけではなく、水中に配置され、かつ、２つ以上の部材が間隔を設けて積層された構造物を切断することが求められる場合がある。例えば、特許文献２には、水中に配置された二重管をウォータジェットで切断する方法が記載されている。
【先行技術文献】
【特許文献】
【０００４】
【特許文献１】特開２０１３−２２６５９０号公報
【特許文献２】特許第５１８７９４２号公報
【発明の概要】
【発明が解決しようとする課題】
【０００５】
ここで、特許文献１に記載されているようにレーザを用いて、水中にある対象の物体を切断する場合、レーザの経路に存在する水により対象物に照射されるレーザの出力が低下してしまう。これに対しては、レーザを照射する位置にガスを吹き付け、レーザが照射される位置をガス雰囲気に近づけることで、水によりレーザの出力が低下することを抑制することができる。
【０００６】
しかしながら、特許文献２に記載されているように、二重管を切断する場合、レーザの照射側にある１枚目の管と１枚目の管の奥にある２枚目の管との間にも水が充満している状態になる。そのため、２枚目の管にレーザが到達するまでにレーザの出力が減衰してしまう恐れがある。この場合、レーザの出力を高くする必要が生じ、効率よく切断することが困難になる。
【０００７】
また、ガスを噴射してレーザの出力の低減を抑制する場合、ガスの供給量が増加するとガスを供給する装置が大型化したり、切断にかかるエネルギが増大したりする。また、二重管以外の構造であっても、水中に配置され、かつ、２つ以上の部材が間隔を設けて積層された構造物は、同様の問題が生じる。
【０００８】
本発明は上述した課題を解決するものであり、水中に配置された対象物を効率よく切断することができ、かつ、供給するガスの量を低減することができるレーザ切断装置及びレーザ切断方法を提供することを目的とする。
【課題を解決するための手段】
【０００９】
上記の目的を達成するための本発明は、第１部材と第２部材が積層され、水中に配置された対象物をレーザで切断するレーザ切断装置であって、前記第１部材に対面して配置され、前記第１部材側からレーザを照射するレーザ照射装置と、前記第１部材に対面して配置され、前記第１部材側から前記レーザが照射される位置にガスを噴射させるガス供給装置と、前記レーザ照射装置及び前記ガス供給装置を移動させる移動装置と、内部が中空の管状の部材であり、内部を前記レーザが通過するヘッドと、前記対象物の前記第１部材と前記第２部材との間の前記レーザで切断される位置の鉛直方向上側及び鉛直方向下側の少なくとも一方に配置された閉塞機構と、を有することを特徴とする。
【００１０】
また、前記閉塞機構は、前記対象物の前記第１部材と前記第２部材との間の前記レーザで切断される位置よりも鉛直方向上側を閉塞する上側閉塞機構を有することが好ましい。
【００１１】
また、前記対象物は、前記第１部材が筒形状であり、前記上側閉塞機構は、前記第１部材の内側の空間をさらに閉塞することが好ましい。
【００１２】
また、前記閉塞機構は、前記対象物の前記第１部材と前記第２部材との間の前記レーザで切断される位置よりも鉛直方向下側を閉塞する下側閉塞機構を有することが好ましい。
【００１３】
また、前記対象物は、前記第１部材が筒形状であり、前記下側閉塞機構は、前記第１部材の内側の空間をさらに閉塞することが好ましい。
【００１４】
また、前記第１部材と前記第２部材との間にガスを供給するアシストガス供給装置をさらに有することが好ましい。
【００１５】
また、前記対象物は、前記第１部材が内周管であり、前記第２部材が前記第１部材の外周に配置された外周管であり、前記レーザ照射装置及び前記ガス供給装置は、前記内周管の内側に配置され、前記移動装置は、前記レーザ照射装置及び前記ガス供給装置を回転させることが好ましい。
【００１６】
また、前記ヘッドと前記第１部材との間の前記レーザの経路の周囲を閉塞する周囲閉塞機構を有することが好ましい。
【００１７】
また、前記ヘッドは、前記前記レーザ照射装置のレーザを照射する開口の移動方向において、前記レーザで前記第１部材に形成するカーフ幅以上の幅で前記ガスを噴射する形状であることが好ましい。
【００１８】
また、前記ヘッドのレーザを照射する開口の移動方向において、前記レーザの照射位置よりも後側の、前記第１部材の切断位置に閉塞材を供給する閉塞材供給装置を有することが好ましい。
【００１９】
また、前記ヘッドのレーザを照射する開口の移動方向において、前記レーザの照射位置よりも後側の、前記ヘッドの外周に固定され、前記第１部材の切断位置に挿入される可撓性の遮蔽部材を有することが好ましい。
【００２０】
また、前記ヘッドのレーザを照射する開口の移動方向において、前記レーザの照射位置よりも後側の前記第１部材の切断位置に向けて水をジェット噴射する水噴射装置を有することが好ましい。
【００２１】
上記の目的を達成するための本発明は、第１部材と第２部材が積層され、水中に配置された対象物をレーザで切断するレーザ切断方法であって、前記第１部材に向けてガスを噴射した状態でレーザを照射して、前記第１部材に貫通部を形成し、前記貫通部を通過したガスを前記第２部材に向けて噴射させた状態で前記貫通部を通過したレーザを前記第２部材に照射して、前記第２部材を切断し、前記対象物の前記第１部材と前記第２部材との間の前記レーザで切断される位置の鉛直方向上側及び鉛直方向下側の少なくとも一方を閉塞し、前記対象物の前記第１部材と前記第２部材との間の空間に空気を充填することを含むことを特徴とする
【００２２】
また、前記第１部材に向けてガスを噴射した状態でレーザを照射して、前記第１部材に貫通部を形成した後、前記対象物の前記第１部材と前記第２部材との間の空間に空気を充填し、前記第２部材の切断を実行することが好ましい。
【００２３】
また、前記レーザが通過する管状の部材であるヘッドと前記第１部材との間をさらに閉塞して、前記第１部材に向けてガスを噴射した状態でレーザを照射して、前記第１部材に貫通部を形成することが好ましい。
【発明の効果】
【００２４】
本発明によれば、水中に配置された積層構造物である対象物を効率よく切断することができ、かつ、供給するガスの量を低減することができる。
【図面の簡単な説明】
【００２５】
【図１】図１は、本実施形態のレーザ切断装置を表す概略構成図である。
【図２】図２は、図１に示すレーザ切断装置を他の方向から見た概略構成図である。
【図３】図３は、ヘッドの内部の構造を示す概略構成図である。
【図４】図４は、レーザ切断装置の動作の一例を説明するためのフローチャートである。
【図５】図５は、レーザ切断装置の動作を説明するための説明図である。
【図６】図６は、レーザ切断装置の動作を説明するための説明図である。
【図７】図７は、レーザ切断装置の動作を説明するための説明図である。
【図８】図８は、レーザ切断装置の他の例を表す概略構成図である。
【図９】図９は、レーザ切断装置の動作の一例を説明するためのフローチャートである。
【図１０】図１０は、レーザ切断装置の他の例を示す概略構成図である。
【図１１】図１１は、レーザ切断装置の他の例を示す概略構成図である。
【図１２】図１２は、レーザ切断装置の動作の一例を説明するためのフローチャートである。
【図１３】図１３は、レーザ切断装置の他の例を示す概略構成図である。
【図１４】図１４は、レーザ切断装置の他の例を示す概略構成図である。
【図１５】図１５は、レーザ切断装置の他の例を示す概略構成図である。
【図１６】図１６は、レーザ切断装置の他の例を示す概略構成図である。
【図１７】図１７は、レーザ切断装置の他の例を示す概略構成図である。
【図１８】図１８は、他の実施形態のレーザ切断装置を表す概略構成図である。
【図１９】図１９は、図１８に示すレーザ切断装置を他の方向から見た概略構成図である。
【発明を実施するための形態】
【００２６】
以下に添付図面を参照して、本発明の好適な実施形態を詳細に説明する。なお、この実施形態により本発明が限定されるものではなく、また、実施形態が複数ある場合には、各実施形態を組み合わせて構成するものも含むものである。
【００２７】
図１は、本実施形態のレーザ切断方法を実行するレーザ切断装置を表す概略構成図である。図２は、図１に示すレーザ切断装置を他の方向から見た概略構成図である。図３は、ヘッドの内部の構造を示す概略構成図である。
【００２８】
図１から図３に示すレーザ切断装置２０は、対象物１０を切断する。対象物１０は、水中に配置されており、内周管（第１部材）１２と外周管（第２部材）１４とが積層されている。内周管１２は、円筒形状の部材である。外周管１４は、内周管１２の外周面を覆うように配置された円筒形状の部材である。また、内周管１２と外周管１４との間には隙間があり、隙間にも水が充満している。
【００２９】
図１から図３に示すように、レーザ切断装置２０は、レーザ照射装置２２と、ガス供給装置２４と、ヘッド２５と、移動装置２６と、制御装置２７と、支持装置２８と、閉塞機構３０と、アシストガス供給装置３１と、を有する。まず、ヘッド２５について説明する。ヘッド２５は、移動装置２６により設置位置を移動させ、対象物１０の切断時に対象物１０の内周管１２と対面する位置に配置される。ヘッド２５は、内部が中空の管状の部材であり、先端（鉛直方向下側の端部）に開口３８が形成されている。開口３８は、中空の管路の側面に形成されている。ヘッド２５は、レーザ照射装置２２から出力されたレーザＬが内部を通過し、通過したレーザが開口３８から内周管１２に向けて照射される。またヘッド２５は、ガス供給装置２４から供給されたガスＧが管路を通過し、通過したガスＧが開口３８から内周管１２に向けて噴射される。
【００３０】
次に、移動装置２６は、ヘッド２５を支持し、ヘッド２５を対象物１０に対して移動させる。移動装置２６は、ヘッド２５を対象物１０に対して三次元方向に移動させ、ヘッド２５の先端を含む部分を対象物１０に対して回転させる。移動装置２６は、例えばアームと昇降装置とを組み合わせた機構により、ヘッド２５を水平方向及び鉛直方向に移動させる。移動機構２６は、例えば、対象物１０に対して回転させる機構がヘッド２５の一部に設けられている。移動機構２６は、ヘッド２５の基部側に対して、ヘッド２５の先端側を移動方向２９に移動させることで、ヘッド２５の管路の中心軸周りに開口３８を回転させる。移動機構２６の対象物１０に対して回転させる機構を設けるヘッド２５の管路上の位置は、特に限定されず、開口から遠い位置に設けてもよい。
【００３１】
レーザ照射装置２２は、レーザ光源８０と、平行光学系８２と、放物ミラー（集光光学系）８４と、を有する。レーザ光源８０は、レーザを出力する発光源である。レーザ光源８０は、レーザをヘッド２５に入射する。レーザ照射装置２２は、レンズ、ミラー等の光学系や光ファイバを用いて、レーザ光源８０から出力されたレーザをヘッド２５に入射する。レーザ照射装置２２は、ヘッド２５の端面にレーザ光源８０を設置し、レーザ光源８０とヘッド２５を一体で移動する機構とし、レーザ光源８０からヘッド２５に直接レーザを入射させるようにしてもよい。
【００３２】
平行光学系８２は、ヘッド２５の内部に配置されている。平行光学系８２は、ヘッド２５の開口３８と反対側の端部近傍に配置されている。平行光学系８２は、レーザ光源８０から出力されたレーザＬを平行光として、放物ミラー８４に向けて案内する。
【００３３】
放物ミラー８４は、ヘッド２５の先端側、つまり移動機構２６で回転される部分に配置されている。放物ミラー８４は、平行光で入射したレーザを反射しつつ、集光する。放物ミラー８４は、ヘッド２５の管路に沿って進むレーザを開口３８に向けて反射させる。
【００３４】
レーザ照射装置２２は、レーザ光源８０から照射されたレーザを平行光学系８２で平行にしてヘッド２５の管路内を管路の軸方向に沿って案内した後、放物ミラー８４で開口３８を通過する向きに反射しつつ、集光する。レーザ照射装置２２は、開口３８の形成された方向に沿ってレーザＬを照射する。レーザ照射装置２２は、移動装置２６でヘッド２５が移動され、開口３８が対象物１０の切断位置と対面する位置で停止し、レーザＬを照射しながら移動機構２６で開口３８及び放物ミラー８４を１回転（または、複数回転）することで、内周管１２及び外周管１４を切断する。
【００３５】
また、本実施形態のレーザ照射装置２２は、加工装置と切断装置を兼用するものであり、対象物としての外周管１４及び内周管１２の上端部に係止孔（把持部）３４、３５を形成すると共に、外周管１４及び内周管１２の所定位置を切断する。把持部３４、３５は必ずしもレーザ照射装置２２で形成しなくてもよい。
【００３６】
ここで、図３に示すレーザ照射装置２２は、ヘッド２５の入り口側に配置した平行光学系８２で平行光としたレーザを放物ミラー８４で向きを変えつつ集光して、対象物１０に集光したレーザを照射したがこれに限定されない。例えば、放物ミラー８４に換えて、集光光学系と反射ミラーを配置してもよい。また、レーザ切断装置２０は、集光光学系を基部側に設け、集光しているレーザがヘッド２５の管路を進み、反射ミラーで開口３８に向けて反射させるようにしてもよい。レーザ切断装置２０は、光ファイバをヘッド２５の管路の内部に配置し、光ファイバの内部をレーザＬが移動するようにしてもよい。
【００３７】
次に、ガス供給装置２４は、ガス供給源７０と、ガス供給管７２と、を有する。ガス供給源７０は、ガスを送る圧縮ポンプ等を有する。ガス供給源７０は、ガス供給管７２を介してヘッド２５と連結している。ガス供給管７２は、ヘッド２５の平行光学系８２が配置されている位置よりも先端側に接続されている。ガス供給装置２４は、ガス供給源７０から送られたガスＧを、ガス供給管７２を介してヘッド２５に供給する。ヘッド２５に供給されたガスＧは、ヘッド２５内の管路を基部から先端に向かって流れ、開口３８から噴射される。このようにガス供給装置２４は、ガスＧをヘッド２５の管路を流して、開口３８から噴射させることで、対面する位置の内周管１２に向けて、ガスＧを噴射する。ガス供給装置２４は、レーザＬとともに開口３８からガスＧを噴射することで、内周管１２のレーザＬが照射される位置とレーザ照射装置２２から対象物１０までのレーザＬの経路となる位置に向けてガスＧを噴射する。ここで、ガスＧは、レーザＬの出力を水よりも減衰しない物質である。ガスＧとしては、大気、アルゴンガス、窒素ガス等を用いることができる。
【００３８】
制御装置２７は、レーザ照射装置２２、ガス供給装置２４及び移動装置２６の動作を制御する。
【００３９】
支持装置２８は、外周管１４に対する第１把持装置４１と、内周管１２に対する第２把持装置４２を有している。第１把持装置４１は、外周管１４の外側に配置され、第２把持装置４２は、内周管１２の内側に配置されている。そのため、第１把持装置４１は、外周管１４の外側からアクセスし、第２把持装置４２は、内周管１２の内側からアクセスする。支持装置２８は、第１把持装置４１の内側に第２把持装置４２が配置され、第１把持装置４１と第２把持装置４２は、径方向に対向して配置されており、ほぼ同様の構成となっている。
【００４０】
第１把持装置４１は、外周管１４の周方向に等間隔に配置される複数（好ましくは、３個以上で、係止孔３４と同位置）の把持ヘッド５１を有している。この各把持ヘッド５１は、外周管１４の上端部における外周側に移動することができる。また、第１把持装置４１は、各把持ヘッド５１から外周管１４の係止孔３４に向けて移動可能な係止部材５２を有している。第２把持装置４２は、内周管１２の周方向に等間隔に配置される複数（好ましくは、３個以上で、係止孔３５と同位置）の把持ヘッド６１を有している。また、第２把持装置４２は、各把持ヘッド６１から内周管１２の係止孔３５に向けて移動可能な係止部材６２を有している。
【００４１】
閉塞機構３０は、レーザＬによって切断する位置よりも鉛直方向上側で、内周管１２と外周管１４との間の空間を塞いでいる。本実施形態の閉塞機構３０は、内周管１２と外周管１４の上端を閉塞している。閉塞機構３０を設けることで、レーザＬによって切断する位置よりも鉛直方向上側で、内周管１２と外周管１４との間から空気や水が漏れない形状となる。
【００４２】
アシストガス供給装置３１は、アシストガスＧａを供給する供給源である。アシストガスＧａは、ガスＧと同様の気体を用いることができる。アシストガス供給装置３１は、アシストガスＧａを閉塞機構３１の下側の空間に供給する。
【００４３】
レーザ切断装置２０は、ガス供給装置２４からヘッド２５にガスＧを供給し、ヘッド２５を介して開口３８からガスＧを噴射することで、対象物１０に向けてガスＧを噴射する。また、レーザ切断装置２０は、レーザ照射装置２２からヘッド２５にレーザＬを照射し、ヘッド２５を通過させて開口３８から対象物１０に向けてレーザＬを照射する。これにより、レーザＬの経路にガスＧが供給され、ガスＧを供給しない状態よりもレーザＬの減衰を抑制される。これにより、対象物１０により強い出力でレーザＬを照射することができる。また、レーザ切断装置２０は、開口３８から対象物１０に向けてガスＧを噴射し、レーザ照射装置２２から対象物１０に向けてレーザを照射している状態で、移動装置２６で開口３８及び放物ミラー８４（レーザの照射向きを移動させる機構）を移動方向２９に移動させることで、内周管１２に移動方向２９に沿った、つまり回転に沿った貫通部１００を形成し、外周管１４に移動方向２９に沿った切断部１０２を形成することができる。貫通部１００、切断部１０２は、レーザによって切断された部分である。
【００４４】
図４は、レーザ切断装置の動作の一例を説明するためのフローチャートである。図５から図７は、それぞれレーザ切断装置の動作を説明するための説明図である。次に、図４から図７を用いてレーザ切断装置の動作の一例について説明する。
【００４５】
レーザ切断装置２０は、対象物（二重管）１０に対面する位置に、レーザ照射装置２２とガス供給装置２４を設置する（ステップＳ５０）。つまり、レーザ照射装置２２とガス供給装置２４を水中の内周管１２と対面する位置に設置する。レーザ照射装置２２とガス供給装置２４の設置は、レーザ切断装置２０全体を移動させて設置してもよいし、配置されているレーザ照射装置２２とガス供給装置２４を移動装置２６によって移動させてもよい。また、レーザ切断装置２０は、対象物に閉塞機構を設置する。レーザ切断装置２０は、レーザ照射装置２２とガス供給装置２４を設置したら、加工条件を決定する（ステップＳ５２）。図１７に示す処理の場合、加工条件として、内周管１２に貫通部１００を形成する加工条件と、外周管１４に切断部１０２を形成する加工条件、内周管１２と外周管１４との間にガスを充填する条件の少なくとも３つの条件を設定する。
【００４６】
レーザ切断装置２０は、加工条件を決定したら、レーザ照射装置２２及びガス供給装置２４と、対象物１０との相対移動を開始する（ステップＳ５４）。レーザ切断装置２０は、相対移動を開始したら、対象物１０の内周管１２に向けてガスを噴射しつつ、レーザを照射することで、内周管１２に貫通部１００を形成する（ステップＳ５６）。これにより、対象物１０は、図５に示すように内周管１２に貫通部１００が形成される。またこの時、貫通部１００よりも鉛直方向上側の空間は水が満ちている。
【００４７】
次に、レーザ切断装置２０は、内周管１２に貫通部１００を形成したら、内周管１２と外周管１４との間にガスを充填する（ステップＳ５８）。内周管１２と外周管１４との間へのガスの充填は、アシストガス供給装置３１からアシストガスを供給する。なお、ガス供給装置２４から貫通部１００に向けてガスを供給することで、内周管１２と外周管１４との間にガスを充填してもよい。これにより、図６に示すように、内周管１２の貫通部１００より上側の内周管１２と外周管１４との間に水がない状態となり、ガス雰囲気となる。つまり、内周管１２と外周管１４との間の水面１０６が貫通部１００の上端となる。なお、ガスの注入は、ガス供給装置２４から行っても別のガスを供給する装置から供給してもよい。
【００４８】
次に、レーザ切断装置２０は、ガスを充填したら、レーザ照射装置２２及びガス供給装置２４と、対象物１０との相対移動を開始する（ステップＳ６０）。ここで、レーザ切断装置２０は、対象物１０の貫通部１００が形成された位置に対してレーザＬとガスＧを噴射できる位置にレーザ照射装置２２及びガス供給装置２４を移動させる。
【００４９】
レーザ切断装置２０は、相対移動を開始したら、対象物１０の内周管１２の貫通部１００を通過した後、外周管１４に向かうようにガスＧを噴射しつつ、レーザＬを照射することで、外周管１４に切断部１０２を形成し、外周管１４を切断する（ステップＳ６２）。レーザ切断装置２０は、レーザ照射装置２２及びガス供給装置２４と、対象物１０との相対移動を行いつつ、レーザの照射とガスの噴射を行い、線上の内周管１２の貫通部１００と外周管１４の切断部１０２を形成することで、図７に示すように内周管１２及び外周管１４を貫通部１００と切断部１０２で切断することができる。
【００５０】
レーザ切断装置２０は、閉塞機構３０を設け、内周管１２と外周管１４との間にガスを充填することで、外周管１４の切断時に内周管１２を通過したレーザＬが通過する領域をより確実にガス雰囲気にすることができる。これにより、外周管１４に到達するレーザＬの出力をより強くすることができる。また、内周管１２と外周管１４との間にガスを充填することで、ガス供給装置２４から供給するガスの量を少なくしても、内周管１２と外周管１４との間をガス雰囲気にすることができる。これにより、ガスの使用量を少なくすることができる。
【００５１】
また、レーザ切断装置２０は、レーザＬとガスＧとをヘッド２５の管路を通過させ、開口３８から噴射、照射することで、ガスＧをレーザＬが照射される領域に噴射することができる。これにより、レーザＬの出力の減衰を抑制することができ、対象物１０を好適に切断することができる。また、レーザ切断装置２０は、レーザＬとガスＧとをヘッド２５の管路を通過させることで、ガスＧを噴射する位置とレーザＬを照射する位置を同軸上で回転させることができ、対象物１０に挿入する管路を細くすることができる。
【００５２】
次に、図８は、レーザ切断装置の他の例を表す概略構成図である。図８に示すレーザ切断装置２０ａは、レーザ照射装置２２ａと、ガス供給装置２４ａと、移動装置１２６と、制御装置２７ａと、支持装置２８と、を有する。レーザ切断装置２０ａは、レーザ照射装置２２ａと、ガス供給装置２４ａと、を別々に内周管１２の内側に配置している。つまり、レーザ切断装置２０ａは、レーザ照射装置２２ａと、ガス供給装置２４ａと、のそれぞれが管路であるヘッドを有する。移動機構１２６は、レーザ照射装置２２ａとガス供給装置２４ａを鉛直方向、水平方向に移動させ、また、移動方向２９に回転させる。このように、レーザ切断装置は、レーザ照射装置２２ａと、ガス供給装置２４ａとを別々に設けてもよい。
【００５３】
また、上記実施形態では、内周管１２を切断した後、外周管１４を切断したがこれに限定されない。図９は、レーザ切断装置の動作の一例を説明するためのフローチャートである。レーザ切断装置２０は、対象物（二重管）１０に対面する位置に、レーザ照射装置２２とガス供給装置２４を設置する（ステップＳ５０）。また、レーザ切断装置２０は、対象物１０に閉塞機構３０を設置する。
【００５４】
レーザ切断装置２０は、対象物に閉塞機構を設置する。レーザ切断装置２０は、レーザ照射装置２２とガス供給装置２４を設置したら、加工条件を決定する（ステップＳ５２）。レーザ切断装置２０は、加工条件を決定したら、レーザ照射装置２２及びガス供給装置２４と、対象物１０とを相対移動させ、加工位置まで移動させた後、停止させる（ステップＳ７４）。
【００５５】
レーザ切断装置２０は、加工位置に移動させたら、対象物１０の第１部材１２に向けてガスを噴射しつつ、レーザを照射することで、第１部材１２に貫通部１００を形成しつつ、第２部材１４を切断する（ステップＳ７６）。
【００５６】
次に、レーザ切断装置２０は、内周管１２に貫通部１００を形成したら、内周管１２と外周管１４との間にガスを充填する（ステップＳ５８）。これにより、内周管１２の貫通部１００より上側の内周管１２と外周管１４との間に水がない状態となり、ガス雰囲気となる。なお、ガスの注入は、ガス供給装置２４から行っても別のガスを供給する装置から供給してもよい。
【００５７】
次に、レーザ切断装置２０は、ガスを充填したら、レーザ照射装置２２及びガス供給装置２４と、対象物１０との相対移動を開始する（ステップＳ６０）。ここで、レーザ切断装置２０は、対象物１０の貫通部１００が形成された位置に対してレーザＬとガスＧを噴射できる位置にレーザ照射装置２２及びガス供給装置２４を移動させる。
【００５８】
レーザ切断装置２０は、相対移動を開始したら、対象物１０の内周管１２に向けてガスを噴射しつつ、レーザを照射することで、内周管１２と外周管１４とを切断する（ステップＳ７８）。レーザ切断装置２０は、レーザ照射装置２２及びガス供給装置２４と、対象物１０との相対移動を行いつつ、レーザの照射とガスの噴射を行い、線上の内周管１２の貫通部１００と外周管１４の切断部１０２を形成することで、内周管１２及び外周管１４を貫通部１００と切断部１０２で切断することができる。
【００５９】
レーザ切断装置２０は、図９に示すように、相対位置を固定した状態で内周管１２と外周管１４に穴を形成し、その後、内周管１２と外周管１４の間にガスを充填することでも内周管１２と外周管１４の間にガスを充填することができる。これにより、内周管１２と外周管１４を一度に加工することができる。また、穴が小さいため、内周管１２と外周管１４の間にガスを充填する際に漏れるガスの量を少なくすることができる。
【００６０】
また、図９では、内周管１２と外周管１４の間にガスを充填する前の切断のみ、相対位置を固定した状態で行ったが、ステップＳ７８の加工も、相対位置を固定した状態で行いその後、加工位置を移動させて次の位置の加工を行うようにしてもよい。ステップ移動で加工を行うことで、レーザＬの照射方向とガスＧの噴射方向とのずれを発生しにくくすることができる。これにより、ガスＧを効率よく使用することができ、加工に必要なガス量を低減することができる。
【００６１】
以下、図１０から図１７を用いてレーザ切断装置の他の例について説明する。ここで、図１０から図１７に示すレーザ切断装置の基本的な構成は、図１に示すレーザ切断装置と同様であるので、以下各例に特有の構成について説明する。
【００６２】
ここで、上記実施形態のレーザ切断装置は、閉塞機構として、内周管１２と外周管１４との間のレーザの加工位置の鉛直方向上側の空間を閉塞する閉塞機構（上側閉塞機構）を設けた場合を説明したがこれに限定されない。上記実施形態のレーザ切断装置は、内周管１２と外周管１４との間の鉛直方向上側または鉛直方向下側の空間を閉塞すればよい。また、閉塞機構は、ヘッド２５と内周管１２との間を閉塞する閉塞機構を設けることが好ましい。また、レーザ切断装置は、内周管１２を閉塞する機構を設けることも好ましい。
【００６３】
次に、図１０及び図１１を用いて、閉塞機構の他の例について説明する。図１０は、レーザ切断装置の他の例を示す概略構成図である。図１０に示すレーザ切断装置は、上側閉塞機構１４０ａと、下側閉塞機構１４２と、閉塞機構設置装置１４４と、アシストガス供給装置１４６と、配管１４８と、を有する。上側閉塞機構１４０ａは、レーザＬによって切断する位置よりも鉛直方向上側で、内周管１２と外周管１４との間の空間を塞いでいる。本実施形態の閉塞機構３０は、内周管１２と外周管１４の上端よりも鉛直方向下側を閉塞している。下側閉塞機構１４２は、レーザＬによって切断する位置よりも鉛直方向下側で、内周管１２と外周管１４との間の空間を塞いでいる。上側閉塞機構１４０ａと下側閉塞機構１４２とを設けることで、レーザＬによって切断する位置を含む内周管１２と外周管１４との間の空間は、貫通部１００及び切断部１０２以外からは空気や水が漏れない形状となる。
【００６４】
閉塞機構設置装置１４４は、上側閉塞機構１４０ａと下側閉塞機構１４２とをそれぞれの位置に設置する装置である。閉塞機構設置装置１４４は、アームや挿入するための棒等を有する。
【００６５】
アシストガス供給装置１４６は、アシストガス供給装置３１と同様の機構であり、アシストガスＧａを供給する供給源である。アシストガスＧａは、ガスＧと同様の気体を用いることができる。配管１４８は、アシストガス供給装置１４６と上側閉塞機構１４０ａとを接続している。配管１４８は、アシストガス供給装置１４６から供給されるアシストガスＧａを上側閉塞機構１４０ａと下側閉塞機構１４２とで囲われた空間に案内する。
【００６６】
図１０に示すレーザ切断装置は、閉塞機構設置装置１４４で上側閉塞機構１４０ａと下側閉塞機構１４２とを設置することで、レーザＬによって切断する位置を含む内周管１２と外周管１４との間の空間を、貫通部１００及び切断部１０２以外から水や空気が流入しない、または流入しにくい構造にすることができる。これにより、レーザＬが通過する内周管１２と外周管１４との間の空間をより気中に近づけることができ、レーザＬの出力が減衰することを抑制できる。また、アシストガス供給装置１４６でアシストガスＧａを供給することで、レーザＬが通過する内周管１２と外周管１４との間の空間に効率よくガスを供給することができる。これにより、ガスの使用量を少なくすることができる。
【００６７】
なお、上側閉塞機構１４０ａと下側閉塞機構１４２との両方を設ける場合は、上側閉塞機構１４０ａと下側閉塞機構１４２との少なくとも一方の空気や水が通過する穴や内周管１２と外周管１４との隙間を設けることが好ましい。空気や水が通過する穴や隙間を設けることで、ガスＧが供給された場合に上側閉塞機構１４０ａと下側閉塞機構１４２とで囲われた空間にある水を空間の外に排出しやすくすることができる。また、レーザ切断装置は、より好適にガスをレーザＬが通過する領域に保持することができるため、上側閉塞機構１４０ａを設けることが好ましいが、下側閉塞機構１４２のみを設けてもよい。
【００６８】
図１１は、レーザ切断装置の他の例を示す概略構成図である。図１１に示すレーザ切断装置は、上側閉塞機構１４０ｂと、下側閉塞機構１４２ａと、閉塞機構設置装置１４４と、アシストガス供給装置１４６と、配管１４８と、を有する。上側閉塞機構１４０ｂは、管間閉塞部１５０と、管内閉塞部１５２とを有する。管間閉塞部１５０は、上述した上側閉塞機構１４０ａと同様の構造であり、レーザＬによって切断する位置よりも鉛直方向上側で、内周管１２と外周管１４との間の空間を塞いでいる。管内閉塞部１５２は、レーザＬによって切断する位置よりも鉛直方向上側で、ヘッド２５と内周管１２との間の空間を塞いでいる。
【００６９】
下側閉塞機構１４２ａは、管間閉塞部１５４と、管内閉塞部１５６とを有する。管間閉塞部１５４は、上述した下側閉塞機構１４２と同様の構造であり、レーザＬによって切断する位置よりも鉛直方向下側で、内周管１２と外周管１４との間の空間を塞いでいる。管内閉塞部１５６は、レーザＬによって切断する位置よりも鉛直方向下側の内周管１２の内側の空間を塞いでいる。
【００７０】
上側閉塞機構１４０ｂと下側閉塞機構１４２ａとは、管内閉塞部１５２、１５６を設けることで、レーザＬによって切断する位置を含む内周管１２の内側の空間を、貫通部１００及び切断部１０２以外からは空気や水が漏れない形状とすることができる。
【００７１】
閉塞機構設置装置１４４は、上側閉塞機構１４０ｂと下側閉塞機構１４２ａとをそれぞれの位置に設置する装置である。閉塞機構設置装置１４４は、アームや挿入するための棒等を有する。
【００７２】
アシストガス供給装置１４６は、アシストガスＧａを供給する供給源である。アシストガスＧａは、ガスＧと同様の気体を用いることができる。配管１４８は、アシストガス供給装置１４６と上側閉塞機構１４０ｂとを接続している。配管１４８は、アシストガス供給装置１４６から供給されるアシストガスＧａを上側閉塞機構１４０ｂと下側閉塞機構１４２ａとで囲われた空間に案内する。
【００７３】
図１１に示すレーザ切断装置は、上側閉塞機構１４０ｂと下側閉塞機構１４２ａとを設置することで、レーザＬによって切断する位置を含む内周管１２と外周管１４との間の空間を、貫通部１００及び切断部１０２以外から水や空気が流入しない、または流入しにくい構造にすることができる。これにより、レーザＬが通過する内周管１２と外周管１４との間の空間をより気中に近づけることができ、レーザＬの出力が減衰することを抑制できる。
【００７４】
さらに、上側閉塞機構１４０ｂと下側閉塞機構１４２ａとの管内閉塞部１５２、１５６を設置することで、レーザＬによって切断する位置を含む内周管１２の内側の空間も、貫通部１００以外から水や空気が流入しない、または流入しにくい構造にすることができる。これにより、レーザＬが通過する内周管１２の内側の空間をより気中に近づけることができ、レーザＬの出力が減衰することを抑制できる。また、ガスを保持しやすい構造になるため、ガスの使用量も低減することができる。
【００７５】
なお、管内閉塞部１５２、１５６の両方を設ける場合も、管内閉塞部１５２、１５６の少なくとも一方の空気や水が通過する穴や内周管１２とヘッド２５との隙間を設けることが好ましい。空気や水が通過する穴や隙間を設けることで、ガスＧが供給された場合に管内閉塞部１５２、１５６で囲われた空間にある水を空間の外に排出しやすくすることができる。また、レーザ切断装置は、より好適にガスをレーザＬが通過する領域に保持することができるため、管内閉塞部１５２、１５６の両方を設けることが好ましいが、管内閉塞部１５２、１５６の一方のみを設けてもよい。
【００７６】
また、図１１に示すように、管内閉塞部１５２、１５６を設ける場合、内周管１２の切断の前に、ガスを供給し、内部を気中雰囲気にするようにしてもよい。
【００７７】
図１２は、レーザ切断装置の動作の一例を説明するためのフローチャートである。図１２を用いて、図１１の閉塞機構を用いる場合の処理動作の一例を説明する。
【００７８】
レーザ切断装置２０は、対象物（二重管）に対面する位置に、レーザ照射装置２２とガス供給装置２４を設置する（ステップＳ５０）。また、レーザ切断装置２０は、二重管に閉塞機構を設置する。レーザ切断装置２０は、レーザ照射装置２２とガス供給装置２４を設置したら、加工条件を決定する（ステップＳ５２）。図１２に示す処理の場合、加工条件として、内周管１２に貫通部１００を形成する加工条件と、外周管１４に切断部１０２を形成する加工条件、内周管１２と外周管１４との間にガスを充填する条件の少なくとも３つの条件を設定する。
【００７９】
レーザ切断装置２０は、加工条件を決定したら、レーザ照射装置２２及びガス供給装置２４と、対象物１０との相対移動を開始する（ステップＳ５４）。レーザ切断装置２０は、相対移動を開始したら、対象物１０の内周管１２に向けてガスを噴射しつつ、レーザを照射することで、内周管１２に貫通部１００を形成する（ステップＳ５６）。
【００８０】
次に、レーザ切断装置２０は、内周管１２に貫通部１００を形成したら、ヘッド２５と内周管１２の間及び内周管１２と外周管１４との間にガスを充填する（ステップＳ８８）。これにより、ヘッド２５と内周管１２の間でかつ管内閉塞部１５２、１５６の間と、内周管１２の貫通部１００より上側の内周管１２と外周管１４との間で管間閉塞部１５０、１５４の間とが水がない状態となり、ガス雰囲気となる。なお、ガスの注入は、ガス供給装置２４から行っても別のガスを供給する装置から供給してもよい。
【００８１】
次に、レーザ切断装置２０は、ガスを充填したら、レーザ照射装置２２及びガス供給装置２４と、対象物１０との相対移動を開始する（ステップＳ６０）。ここで、レーザ切断装置２０は、対象物１０の貫通部１００が形成された位置に対してレーザＬとガスＧを噴射できる位置にレーザ照射装置２２及びガス供給装置２４を移動させる。
【００８２】
レーザ切断装置２０は、相対移動を開始したら、対象物１０の内周管１２の貫通部１００を通過した後、外周管１４に向かうようにガスＧを噴射しつつ、レーザＬを照射することで、外周管１４に切断部１０２を形成し、外周管１４を切断する（ステップＳ６２）。
レーザ切断装置２０は、レーザ照射装置２２及びガス供給装置２４と、対象物１０との相対移動を行いつつ、レーザの照射とガスの噴射を行い、線上の内周管１２の貫通部１００と外周管１４の切断部１０２を形成することで、内周管１２及び外周管１４を貫通部１００と切断部１０２で切断することができる。
【００８３】
このように、ヘッド２５と内周管１２の間でかつ管内閉塞部１５２、１５６の間にもガスを充填することで、ヘッド２５から内周管１２の間でのレーザの減衰もより好適に抑制することができる。また、ヘッド２５から内周管１２の間からガスが漏れにくくでき、水が流入しにくくできるため、加工時に使用するガスの量も低減することができる。
【００８４】
また、図１２に示す処理では、貫通部１００を形成した後にヘッド２５と内周管１２の間でかつ管内閉塞部１５２、１５６の間にもガスを充填したが、ヘッド２５と内周管１２の空間にガスを充填した後、貫通部１００を形成してもよい。これにより、貫通部１００を形成する際もヘッド２５から内周管１２の間でのレーザの減衰もより好適に抑制することができ、ガスの使用量を低減することができる。
【００８５】
次に、図１３は、レーザ切断装置の他の例を示す概略構成図である。図１３に示すレーザ切断装置は、周囲閉塞機構１６０を有する。周囲閉塞機構１６０は、ヘッド２５及び開口３８の回転方向において、内周管１２とヘッド２５との間の開口３８以外の部分を閉塞する。周囲閉塞機構１６０は、ヘッド２５の先端側に固定されており、開口３８とともに回転する。周囲閉塞機構１６０は、レーザＬ及びガスＧが通過する位置の周囲の内周管１２とヘッド２５とを囲う構造である。周囲閉塞機構１６０を設けることで、内周管１２とヘッド２５との間で水がレーザＬの経路に浸入することを抑制することができる。なお、本実施形態では、ヘッド２５の周囲の全周に設けたが、開口３８の周囲を囲っていればよい。
【００８６】
図１４は、レーザ切断装置の他の例を示す概略構成図である。図１４に示すレーザ切断装置は、アシストガスＧｂを供給する開口１７０を有する。開口１７０は、開口の回転方向において、レーザの照射位置よりも後側に設けられており、レーザの照射位置よりも後側にアシストガスＧｂを供給する。図１４に示すレーザ切断装置は、開口１７０を設けることで、レーザで内周管１２に形成するカーフ幅以上の幅でガスを噴射する。これにより、レーザＬが通過する領域に水が浸入しにくい状態とすることができる。なお本実施形態では、開口３８とは別に開口１７０を設けたが、開口３８を、開口３８の回転方向において、レーザで内周管１２に形成するカーフ幅以上の幅でガスを噴射する形状としてもよい。
【００８７】
図１５は、レーザ切断装置の他の例を示す概略構成図である。図１５に示すレーザ切断装置は、閉塞材供給装置１８０を有する。閉塞材供給装置１８０は、開口３８の回転方向において、レーザＬの照射位置よりも後側の、内周管１２の貫通部１００つまり切断位置に閉塞材１８２を供給する。閉塞材１８２としては、例えばゴム等の耐火材を用いることができる。また、閉塞材１８２は、切断後、対象物を搬送する際にちぎれる材料である。閉塞材供給装置１８０は、レーザＬの照射位置よりも後側の、内周管１２の貫通部１００つまり切断位置に閉塞材１８２を供給することで、レーザＬの照射位置よりも後側から水が浸入することを抑制する。
【００８８】
図１６は、レーザ切断装置の他の例を示す概略構成図である。図１６に示すレーザ切断装置は、遮蔽部材１９０を有する。遮蔽部材１９０は、開口３８の回転方向において、レーザＬの照射位置よりも後側の、ヘッド２５の外周に固定され、内周管１２の貫通部１００に挿入される可撓性の部材である。遮蔽部材１９０としては、ワイヤブラシ等を用いることができる。図１６に示すレーザ切断装置は、遮蔽部材１９０を設け、レーザＬの照射位置よりも後側の、内周管１２の貫通部１００つまり切断位置に遮蔽部材１９０を挿入することで、レーザＬの照射位置よりも後側から水が浸入することを抑制する。
【００８９】
図１７は、レーザ切断装置の他の例を示す概略構成図である。図１７に示すレーザ切断装置は、水噴射装置１９６を有する。水噴射装置１９６は、開口３８の回転方向において、レーザＬの照射位置よりも後側の、ヘッド２５の外周に固定され、内周管１２の貫通部１００にジェット状の水に噴射する。つまり水噴射装置１９６は、ジェット水１９８を噴射する。図１７に示すレーザ切断装置は、水噴射装置１９６を設け、レーザＬの照射位置よりも後側の、内周管１２の貫通部１００つまり切断位置にジェット状の水を噴射することで、レーザＬの照射位置よりも後側から水が浸入することを抑制する。
【００９０】
レーザ切断装置は、図１３から図１７に示す機構を設けて、レーザＬの照射位置よりも後側から水が浸入することを抑制することで、レーザＬの出力が減衰することを抑制でき、かつ、ヘッド２５から供給するガスを効率よく利用することができる。
【００９１】
また、上述した実施形態では、断面が円形状の二重管を対象物として切断する場合で説明したが、これに限定されない。本発明は、内周管と外周管が重なった形状で水中に配置された各種形状の構造物を切断することができる。対象物は、例えば、多角形形状の断面や曲線と直線とが組み合わされた断面の二重管などであってもよい。
【００９２】
また、対象物は、第１部材、第２部材の両方が管路であり、第１部材が内周管で、第２部材が外周管である必要はなく、水中に配置され、かつ、２つ以上の部材が間隔を設けて積層された構造物であればよい。
【００９３】
図１８は、他の実施形態のレーザ切断装置を表す概略構成図である。図１９は、図１８に示すレーザ切断装置を他の方向から見た概略構成図である。図１８及び図１９に示すよレーザ切断装置２２０は、対象物２１０の切断に用いられる。対象物２１０は、水中に配置されており、第１部材２１２と第２部材２１４とが積層している。第１部材２１２と第２部材２１４とは、板状の部材である。対象物２１０は、第１部材２１２と第２部材２１４と、間隔を開けて向かい合って配置されている。第１部材２１２と第２部材２１４との間には隙間があり、隙間にも水が充満している。
【００９４】
図１８及び図１９に示すように、レーザ切断装置２２０は、レーザ照射装置２２２と、ガス供給装置２２４と、移動装置２２６と、制御装置２２７と、閉塞機構２３０、２３２と、を有する。レーザ照射装置２２は、第１部材１２と対面する位置に配置され、第１部材１２に向けて、レーザＬを照射し、ガスＧを噴射する。
【００９５】
ガス供給装置２４は、第１部材１２と対面する位置に配置され、第１部材１２に向けて、ガスＧを噴射する。ガス供給装置２４は、第１部材１２のレーザＬが照射される位置とレーザ照射装置２２から対象物１０までのレーザＬの経路となる位置に向けてガスＧを噴射する。ここで、ガスＧは、レーザＬの出力を水よりも減衰しない物質である。ガスＧとしては、大気を用いることができる。
【００９６】
移動装置２６は、レーザ照射装置２２と、ガス供給装置２４と、を支持し、対象物１０に対して始動させる。本実施形態の移動装置２６は、レーザ照射装置２２とガス供給装置２４と一体で移動させるが、別々に移動させてもよい。移動装置２６は、レーザ照射装置２２とガス供給装置２４と対象物１０に対して移動方向２９に移動させる。制御装置２７は、レーザ照射装置２２と、ガス供給装置２４と、移動装置２６との動作を制御する。
【００９７】
閉塞機構２３０は、第１部材２１２と第２部材２１４と間の鉛直方向上側の端面を閉塞している。閉塞機構２３２は、第１部材２１２と第２部材２１４と間の側面の貫通部１００よりも鉛直方向上側の部分を閉塞している。レーザ切断装置２２０は、閉塞機構２３０、２３２で第１部材２１２と第２部材２１４と間の貫通部１００よりも鉛直方向上側の側面と上面を塞ぐことで、第１部材２１２と第２部材２１４と間から空気が漏れることを抑制することができる。
【００９８】
レーザ切断装置２２０は、ガス供給装置２２４から対象物１０に向けてガスＧを噴射し、レーザ照射装置２２２から対象物２１０に向けてレーザＬを照射する。また、レーザ切断装置２２０は、ガス供給装置２２４から対象物２１０に向けてガスを噴射し、レーザ照射装置２２２から対象物２１０に向けてレーザを照射している状態で、移動装置２２６で移動方向２２９に移動させることで、図１９に示すように、第１部材２１２に移動方向２２９に沿った貫通部２３０を形成し、第２部材２１４に移動方向２２９に沿った切断部２３２を形成することができる。貫通部２３０、切断部２３２は、レーザによって切断された部分である。
【００９９】
このように、レーザ切断装置２２０は、対象物２１０が２枚の平板を重ねた形状であっても閉塞機構２３０、２３２を設け、第１部材２１２と第２部材２１４と間に空気が溜まりやすく、抜けにくい状態とすることで、レーザで効率よく切断することができ、使用する空気量を低減することができる。
【符号の説明】
【０１００】
１０  対象物
１２  内周管
１４  外周管
２０  レーザ切断装置
２２、２２ａ  レーザ照射装置
２４、２２４  ガス供給装置
２５、２２５  ヘッド
２６、２２６  移動装置
２７、２２７  制御装置
２８  支持装置
２９  移動方向
３０、２３０、２３２  閉塞機構
３１、１４６  アシストガス供給装置
３４、３５  係止孔（把持部）
３８、１７０  開口
４１  第１把持装置
４２  第２把持装置
５１、６１  把持ヘッド
５２、６２  係止部材
８０  レーザ光源
８２  平行光学系
８４  放物ミラー（集光光学系）
１００  貫通部
１０２  切断部
１４０ｂ  上側閉塞機構
１４２、１４２ａ  下側閉塞機構
１４４  閉塞機構設置装置
１４８  配管
１５０、１５４  管間閉塞部
１５２、１５６  管内閉塞部
１６０  周囲閉塞機構
１８０  閉塞材供給装置
１８２  閉塞材
１９０  遮蔽部材
１９６  水噴射装置
Ｇ  ガス
Ｇａ、Ｇｂ  アシストガス
Ｌ  レーザ
【図１】
0006391399.tif 000002
【図２】
0006391399.tif 000003
【図３】
0006391399.tif 000004
【図４】
0006391399.tif 000005
【図５】
0006391399.tif 000006
【図６】
0006391399.tif 000007
【図７】
0006391399.tif 000008
【図８】
0006391399.tif 000009
【図９】
0006391399.tif 000010
【図１０】
0006391399.tif 000011
【図１１】
0006391399.tif 000012
【図１２】
0006391399.tif 000013
【図１３】
0006391399.tif 000014
【図１４】
0006391399.tif 000015
【図１５】
0006391399.tif 000016
【図１６】
0006391399.tif 000017
【図１７】
0006391399.tif 000018
【図１８】
0006391399.tif 000019
【図１９】
0006391399.tif 000020